(57)【要約】【課題】イラストマップ等の印刷物と画像データとを簡単に関連付けて印刷する。【解決手段】被写体および図柄を撮像して被写体画像データおよび図柄撮像データを生成する撮像部、図柄撮像データを復号化する図柄復号部、被写体撮像データを送信する撮像データ送信部を有する第１情報処理装置と、印刷テンプレートを記録するテンプレート記録部、印刷データを生成する印刷データ生成部、印刷データを送信する印刷データ送信部を有する第２情報処理装置とを有し、印刷テンプレートが、背景画像および画像フィールドを含み、図柄の情報に画像フィールドを識別する識別情報を含み、印刷データ生成部が、識別情報で識別される画像フィールドに当該識別情報に関連付けられている被写体撮像データを埋め込むことで、背景画像に被写体の画像が重ねて表示されるよう印刷データを生成するネットワークシステムを提供する。【選択図】図１
2012003746.tif 000002
【特許請求の範囲】
【請求項１】
ネットワークと、前記ネットワークに無線接続された第１情報処理装置と、前記ネットワークに接続された第２情報処理装置とを備え、
第１情報処理装置が、被写体を撮像して被写体撮像データを生成し、情報が符号化された図柄を撮像して図柄撮像データを生成する撮像部と、前記図柄撮像データを復号化して前記情報を取得する図柄復号部と、前記被写体撮像データを前記第２情報処理装置に送信する撮像データ送信部とを有し、
第２情報処理装置が、印刷テンプレートを記録するテンプレート記録部または前記印刷テンプレートを取得するテンプレート取得部の何れか一方と、前記印刷テンプレートと前記被写体撮像データとから印刷データを生成する印刷データ生成部と、前記印刷データを送信する印刷データ送信部または前記印刷データを印刷画像として出力する印刷部の何れか一方とを有し、
前記印刷テンプレートが、背景画像と、前記背景画像に重ねて表示することができる画像の表示領域を特定する画像フィールドと、を含み、
前記情報が、前記画像フィールドを識別する識別情報を含み、
前記撮像データ送信部が、前記識別情報に関連付けて前記被写体撮像データを送信し、
前記印刷データ生成部が、前記識別情報で識別される前記画像フィールドに当該識別情報に関連付けられている前記被写体撮像データを埋め込むことで、前記背景画像に前記被写体の画像が重ねて表示されるよう前記印刷データを生成する
ネットワークシステム。
【請求項２】
前記識別情報がメールアドレスであり、
前記撮像データ送信部が、前記メールアドレスを宛先にして前記被写体撮像データを送信し、
前記第２情報処理装置が、前記メールアドレスに対応する受信ボックスを有し、
前記印刷データ生成部が、前記受信ボックスに受信した前記被写体撮像データを、前記識別情報で識別される前記画像フィールドに埋め込んで前記印刷データを生成する
請求項１に記載のネットワークシステム。
【請求項３】
前記印刷テンプレートが複数の前記画像フィールドを含み、複数の前記画像フィールドのそれぞれに対応する複数の前記識別情報が設定され、
前記撮像データ送信部は、複数の前記識別情報のそれぞれに関連付けて複数の前記被写体撮像データを送信し、
前記印刷データ生成部は、複数の前記画像フィールドのそれぞれに対応する前記被写体撮像データのそれぞれを埋め込んで前記印刷データを生成する
請求項１または請求項２に記載のネットワークシステム。
【請求項４】
前記印刷テンプレートの印刷物には、前記画像フィールドの位置に前記図柄が印刷され、
前記撮像部は、前記印刷物に印刷された前記図柄を撮像して前記図柄撮像データを生成する
請求項１から請求項３の何れか一項に記載のネットワークシステム。
【請求項５】
前記図柄は、二次元コードである
請求項４に記載のネットワークシステム。
【請求項６】
請求項１から請求項５の何れか一項に記載のネットワークシステムを利用した画像印刷方法であって、
前記撮像部が、前記被写体を撮像して前記被写体撮像データを生成する段階と、
前記撮像部が、前記図柄を撮像して前記図柄撮像データを生成する段階と、
前記図柄復号部が、前記図柄撮像データを復号化して前記情報を取得する段階と、
前記撮像データ送信部が、前記識別情報に関連付けて前記被写体撮像データを前記第２情報処理装置に送信する段階と、
前記第２情報処理装置が、前記被写体撮像データを受信する段階と、
前記第２情報処理装置が、前記テンプレート記録部から前記印刷テンプレートを読み出す、または、前記テンプレート取得部により前記印刷テンプレートを取得する段階と、
前記印刷データ生成部が、前記識別情報で識別される前記画像フィールドに当該識別情報に関連付けられている前記被写体撮像データを埋め込むことで、前記背景画像に前記被写体の画像が重ねて表示されるよう前記印刷データを生成する段階と、
前記印刷データを送信する、または、前記印刷データを印刷画像として出力する段階と、
を有する画像印刷方法。
【請求項７】
前記識別情報がメールアドレスであり、
前記第２情報処理装置が、前記メールアドレスに対応する受信ボックスを有し、
前記被写体撮像データを前記第２情報処理装置に送信する段階において、前記メールアドレスを宛先にして前記被写体撮像データを送信し、
前記印刷データを生成する段階において、前記受信ボックスに受信した前記被写体撮像データを、前記識別情報で識別される前記画像フィールドに埋め込んで前記印刷データを生成する
請求項６に記載の画像印刷方法。
【請求項８】
前記第１情報処理装置が、前記被写体の撮像に応じて現在の位置データを取得する位置データ取得部をさらに有し、
前記撮像データ送信部が、前記被写体撮像データに対応する前記位置データをさらに送信し、
前記第２情報処理装置が、到達証明を発行するか否かを判定する証明発行判定部をさらに有し、
前記印刷テンプレートが、前記画像フィールドに対応した標準データをさらに含み、
前記証明発行判定部が、前記被写体撮像データに対応した前記位置データと前記画像フィールドに対応した前記標準データとが所定範囲内で一致しているかどうかを判定し、
前記印刷データ生成部が、前記証明発行判定部の判定に応じて、前記到達証明を含む前記印刷データまたは前記到達証明を含まない前記印刷データを生成する
請求項１から請求項５の何れか一項に記載のネットワークシステム。
【請求項９】
前記第１情報処理装置が、前記被写体の撮像に応じて現在の時間データを生成する時間データ生成部をさらに有し、
前記撮像データ送信部が、前記被写体撮像データに対応する前記時間データをさらに送信し、
前記証明発行判定部が、複数の前記被写体撮像データのそれぞれについて、当該被写体撮像データに対応する時間データと他の被写体撮像データに対応する時間データとの時間差が、前記画像フィールドに対応した前記標準データから計算される時間差と矛盾しないかどうかをさらに判定する
請求項８に記載のネットワークシステム。
【請求項１０】
請求項８に記載のネットワークシステムを利用した画像印刷方法であって、
前記撮像部が、前記被写体を撮像して前記被写体撮像データを生成する段階と、
前記位置データ取得部が、前記被写体の撮像に応じて現在の位置データを取得する段階と、
前記撮像部が、前記図柄を撮像して前記図柄撮像データを生成する段階と、
前記図柄復号部が、前記図柄撮像データを復号化して前記情報を取得する段階と、
前記撮像データ送信部が、前記識別情報に関連付けて前記被写体撮像データおよび前記位置データを前記第２情報処理装置に送信する段階と、
前記第２情報処理装置が、前記被写体撮像データおよび前記位置データを受信する段階と、
前記第２情報処理装置が、前記テンプレート記録部から前記印刷テンプレートを読み出す、または、前記テンプレート取得部により前記印刷テンプレートを取得する段階と、
前記証明発行判定部が、前記被写体撮像データに対応した前記位置データと前記画像フィールドに対応した前記標準データとが所定範囲内で一致しているかどうかを判定する段階と、
前記印刷データ生成部が、前記識別情報で識別される前記画像フィールドに当該識別情報に関連付けられている前記被写体撮像データを埋め込むことで、前記背景画像に前記被写体の画像が重ねて表示されるよう前記印刷データを生成するとともに、前記証明発行判定部の判定に応じて、前記到達証明を含む前記印刷データまたは前記到達証明を含まない前記印刷データを生成する段階と、
前記印刷データを送信する、または、前記印刷データを印刷画像として出力する段階と、
を有する画像印刷方法。
【請求項１１】
請求項９に記載のネットワークシステムを利用した画像印刷方法であって、
前記時間データ生成部が、前記被写体の撮像に応じて現在の時間データを生成する段階をさらに有し、
前記撮像データ送信部が前記被写体撮像データおよび前記位置データを前記第２情報処理装置に送信する段階において、前記時間データをさらに送信し、
前記第２情報処理装置が前記被写体撮像データおよび前記位置データを受信する段階において、前記時間データをさらに受信し、
前記証明発行判定部が前記位置データと前記標準データとが所定範囲内で一致しているかどうかを判定する段階において、複数の前記被写体撮像データのそれぞれについて、当該被写体撮像データに対応する時間データと他の被写体撮像データに対応する時間データとの時間差が、前記画像フィールドに対応した前記標準データから計算される時間差と矛盾しないかどうかをさらに判定する
請求項１０に記載の画像印刷方法。
【請求項１２】
前記識別情報がメールアドレスであり、
前記第２情報処理装置が、前記メールアドレスに対応する受信ボックスを有し、
前記被写体撮像データを前記第２情報処理装置に送信する段階において、前記メールアドレスを宛先にして前記被写体撮像データを送信し、
前記印刷データを生成する段階において、前記受信ボックスに受信した前記被写体撮像データを、前記識別情報で識別される前記画像フィールドに埋め込んで前記印刷データを生成する
請求項１０または請求項１１に記載の画像印刷方法。
【発明の詳細な説明】
【技術分野】
【０００１】
本発明は、ネットワークシステムおよび画像印刷方法に関する。
【背景技術】
【０００２】
旅行や行楽の際にカメラが持参され、思い出として多くの記念写真が撮像される。そして、近年はデジタル技術の進展とともに、写真機としてデジタルカメラやカメラ機能付き携帯電話が普及している。デジタルカメラやカメラ機能付き携帯電話で撮像した画像は、半導体メモリ等の記録媒体に画像データとして記録され、内臓された液晶ディスプレイ等に表示して閲覧に供される。あるいは画像データをパーソナルコンピュータ（ＰＣ）に転送し、当該ＰＣの表示装置に表示し、またはプリンタ等の印刷装置により印刷し、閲覧に供される。さらに、デジタルカメラやカメラ機能付き携帯電話からネットワークを介して他の携帯電話、ＰＣまたはサーバコンピュータに画像データが転送される場合もある。
【０００３】
たとえば、特許文献１は、デジタルカメラで撮影した画像を撮影後即座に印刷する場合等に適した印刷方法、通信モジュール、及びプログラムを開示する。当該印刷方法は、映像を電気信号に変換し、画像データとして記憶媒体に記憶するデジタルカメラと、画像データに基づく画像を用紙に印刷するプリンタと、が通信可能に接続されたネットワークシステムにおいて、デジタルカメラをネットワークに接続されたか判定し、デジタルカメラがネットワークに接続された際に、デジタルカメラにおいて記憶されている画像データのうち、少なくとも最後に記憶された画像データをプリンタに送信する。そして、送信された画像データに基づく画像をプリンタで印刷する。
【先行技術文献】
【特許文献】
【０００４】
【特許文献１】特開２００９−８８８３０号公報
【発明の概要】
【発明が解決しようとする課題】
【０００５】
デジタルカメラ等で撮像した画像データは、主に撮像日時により管理され、撮像された場面の思い出に繋がる品々との関連性は一般に考慮されていない。たとえば、旅行のパンフレットや行楽先である動物園、植物園、テーマパーク等のイラストマップは、思い出に繋がる象徴的な印刷物である。しかし、これら印刷物と記念写真は、特に関連付けて保管されておらず、時間の経過とともに両者が散逸してしまう場合がある。また、旅の思い出の写真等とともに、真に旅行したことを証明する到達証明が付与されると、旅の記念になるとともに話題を提供することも可能になる。本発明の目的は、時間が経過しても、大切な思い出の品が散逸しないよう、イラストマップ等の印刷物と画像データとを簡単に関連付けて印刷できる技術を提供することにある。また、本発明の目的は、イラストマップ等に旅の到達証明を付与する手段を提供することにある。
【課題を解決するための手段】
【０００６】
上記課題を解決するために、本発明の第１の態様においては、ネットワークと、ネットワークに無線接続された第１情報処理装置と、ネットワークに接続された第２情報処理装置とを備え、第１情報処理装置が、被写体を撮像して被写体撮像データを生成し、情報が符号化された図柄を撮像して図柄撮像データを生成する撮像部と、図柄撮像データを復号化して情報を取得する図柄復号部と、被写体撮像データを第２情報処理装置に送信する撮像データ送信部とを有し、第２情報処理装置が、印刷テンプレートを記録するテンプレート記録部または印刷テンプレートを取得するテンプレート取得部の何れか一方と、印刷テンプレートと被写体撮像データとから印刷データを生成する印刷データ生成部と、印刷データを送信する印刷データ送信部または印刷データを印刷画像として出力する印刷部の何れか一方とを有し、印刷テンプレートが、背景画像と、背景画像に重ねて表示することができる画像の表示領域を特定する画像フィールドと、を含み、情報が、画像フィールドを識別する識別情報を含み、撮像データ送信部が、識別情報に関連付けて被写体撮像データを送信し、印刷データ生成部が、識別情報で識別される画像フィールドに当該識別情報に関連付けられている被写体撮像データを埋め込むことで、背景画像に被写体の画像が重ねて表示されるよう印刷データを生成するネットワークシステムを提供する。
【０００７】
当該ネットワークシステムにおいて、識別情報がメールアドレスであり、撮像データ送信部がメールアドレスを宛先にして被写体撮像データを送信し、第２情報処理装置がメールアドレスに対応する受信ボックスを有し、印刷データ生成部が受信ボックスに受信した被写体撮像データを識別情報で識別される画像フィールドに埋め込んで印刷データを生成するものであってもよい。あるいは、印刷テンプレートが複数の画像フィールドを含み、複数の画像フィールドのそれぞれに対応する複数の識別情報が設定され、撮像データ送信部は、複数の識別情報のそれぞれに関連付けて複数の被写体撮像データを送信し、印刷データ生成部は、複数の画像フィールドのそれぞれに対応する被写体撮像データのそれぞれを埋め込んで印刷データを生成するものであってもよい。あるいは、印刷テンプレートの印刷物には、画像フィールドの位置に図柄が印刷され、撮像部は、印刷物に印刷された図柄を撮像して図柄撮像データを生成するものであってもよい。図柄は、二次元コードであってもよい。
【０００８】
前記したネットワークシステムにおいて、第１情報処理装置が、被写体の撮像に応じて現在の位置データを取得する位置データ取得部をさらに有し、撮像データ送信部が、被写体撮像データに対応する位置データをさらに送信し、第２情報処理装置が、到達証明を発行するか否かを判定する証明発行判定部をさらに有し、印刷テンプレートが、画像フィールドに対応した標準データをさらに含み、証明発行判定部が、被写体撮像データに対応した位置データと画像フィールドに対応した標準データとが所定範囲内で一致しているかどうかを判定し、印刷データ生成部が、証明発行判定部の判定に応じて、到達証明を含む印刷データまたは到達証明を含まない印刷データを生成するものであってもよい。また、第１情報処理装置が、被写体の撮像に応じて現在の時間データを生成する時間データ生成部をさらに有し、撮像データ送信部が、被写体撮像データに対応する時間データをさらに送信し、証明発行判定部が、複数の被写体撮像データのそれぞれについて、当該被写体撮像データに対応する時間データと他の被写体撮像データに対応する時間データとの時間差が、画像フィールドに対応した標準データから計算される時間差と矛盾しないかどうかをさらに判定するものであってもよい。
【０００９】
本発明の第２の態様においては、前記したネットワークシステムを利用した画像印刷方法であって、撮像部が、被写体を撮像して被写体撮像データを生成する段階と、撮像部が、図柄を撮像して図柄撮像データを生成する段階と、図柄復号部が、図柄撮像データを復号化して情報を取得する段階と、撮像データ送信部が、識別情報に関連付けて被写体撮像データを第２情報処理装置に送信する段階と、第２情報処理装置が、被写体撮像データを受信する段階と、第２情報処理装置が、テンプレート記録部から印刷テンプレートを読み出す、または、テンプレート取得部により印刷テンプレートを取得する段階と、印刷データ生成部が、識別情報で識別される画像フィールドに当該識別情報に関連付けられている被写体撮像データを埋め込むことで、背景画像に被写体の画像が重ねて表示されるよう印刷データを生成する段階と、印刷データを送信する、または、印刷データを印刷画像として出力する段階と、を有する画像印刷方法を提供する。
【００１０】
当該画像印刷方法において、識別情報がメールアドレスであり、第２情報処理装置がメールアドレスに対応する受信ボックスを有し、被写体撮像データを第２情報処理装置に送信する段階において、メールアドレスを宛先にして被写体撮像データを送信し、印刷データを生成する段階において、受信ボックスに受信した被写体撮像データを、識別情報で識別される画像フィールドに埋め込んで印刷データを生成してもよい。
【００１１】
また、前記した画像印刷方法は、撮像部が、被写体を撮像して被写体撮像データを生成する段階と、位置データ取得部が、被写体の撮像に応じて現在の位置データを取得する段階と、撮像部が、図柄を撮像して図柄撮像データを生成する段階と、図柄復号部が、図柄撮像データを復号化して情報を取得する段階と、撮像データ送信部が、識別情報に関連付けて被写体撮像データおよび位置データを第２情報処理装置に送信する段階と、第２情報処理装置が、被写体撮像データおよび位置データを受信する段階と、第２情報処理装置が、テンプレート記録部から印刷テンプレートを読み出す、または、テンプレート取得部により印刷テンプレートを取得する段階と、証明発行判定部が、被写体撮像データに対応した位置データと画像フィールドに対応した標準データとが所定範囲内で一致しているかどうかを判定する段階と、印刷データ生成部が、識別情報で識別される画像フィールドに当該識別情報に関連付けられている被写体撮像データを埋め込むことで、背景画像に被写体の画像が重ねて表示されるよう印刷データを生成するとともに、証明発行判定部の判定に応じて、到達証明を含む印刷データまたは到達証明を含まない印刷データを生成する段階と、印刷データを送信する、または、印刷データを印刷画像として出力する段階と、を有する画像印刷方法であってもよい。あるいは、時間データ生成部が、被写体の撮像に応じて現在の時間データを生成する段階をさらに有し、撮像データ送信部が被写体撮像データおよび位置データを第２情報処理装置に送信する段階において、時間データをさらに送信し、第２情報処理装置が被写体撮像データおよび位置データを受信する段階において、時間データをさらに受信し、証明発行判定部が位置データと標準データとが所定範囲内で一致しているかどうかを判定する段階において、複数の被写体撮像データのそれぞれについて、当該被写体撮像データに対応する時間データと他の被写体撮像データに対応する時間データとの時間差が、画像フィールドに対応した標準データから計算される時間差と矛盾しないかどうかをさらに判定する画像印刷方法であってもよい。
【００１２】
なお、上記の発明の概要は、本発明の必要な特徴の全てを列挙したものではない。また、これらの特徴群のサブコンビネーションもまた、発明となりうる。
【図面の簡単な説明】
【００１３】
【図１】ネットワークシステム１００を概略的に示す。
【図２】第１情報処理装置１２０の機能ブロックを示す。
【図３】第２情報処理装置１４０の機能ブロックを示す。
【図４】印刷テンプレート１５０の画像を示す。
【図５】画像印刷方法の処理フローを示す。
【図６】印刷画像３００を示す。
【図７】第１情報処理装置４２０の機能ブロックを示す。
【図８】第２情報処理装置４４０の機能ブロックを示す。
【図９】画像印刷方法における被写体撮像データ生成の処理フロー例を示す。
【図１０】画像印刷方法における印刷データ生成の処理フロー例を示す。
【発明を実施するための形態】
【００１４】
図１は、本実施形態のネットワークシステム１００を概略的に示す。ネットワークシステム１００は、ネットワーク１１０と、第１情報処理装置１２０と、第２情報処理装置１４０とを有する。
【００１５】
ネットワークシステム１００は、第１情報処理装置１２０で撮像した被写体撮像データをネットワーク１１０を介して第２情報処理装置１４０に送信し、第２情報処理装置１４０に備えた印刷テンプレートの画像フィールドに被写体撮像データを埋め込んで印刷できる機能を有する。
【００１６】
ネットワーク１１０は、たとえば電話網およびインターネットである。第１情報処理装置１２０は、無線中継器１６０を介してネットワーク１１０に無線接続される。第１情報処理装置１２０として、携帯電話、スマートフォン、携帯情報端末（ＰＤＡ）が挙げられる。第２情報処理装置１４０は、ネットワーク１１０に接続されており、印刷装置１８０が接続されている。第２情報処理装置１４０として、サーバコンピュータが挙げられる。印刷装置１８０はネットワーク１１０に接続されていてもよい。
【００１７】
図２は、第１情報処理装置１２０の機能ブロックを示す。第１情報処理装置１２０は、撮像部１２２と、データ記録部１２４と、図柄復号部１２６と、撮像データ送信部１２８とを有する。撮像部１２２は、被写体を撮像して被写体撮像データを生成する。また撮像部１２２は、情報が符号化された図柄を撮像して図柄撮像データを生成する。データ記録部１２４は、撮像部１２２で生成した被写体撮像データを記録する。データ記録部１２４として、半導体メモリ等の記録媒体が挙げられる。図柄復号部１２６は、撮像部１２２で生成した図柄撮像データを復号化する。復号化により図柄の元となる情報が取得できる。撮像データ送信部１２８は、被写体撮像データを第２情報処理装置１４０に送信する。
【００１８】
図３は、第２情報処理装置１４０の機能ブロックを示す。第２情報処理装置１４０は、テンプレート記録部１４２と、撮像データ受信部１４４と、印刷データ生成部１４６と、印刷データ送信部１４８とを有する。テンプレート記録部１４２は、印刷テンプレート１５０を記録する。テンプレート記録部１４２として、ハードディスクドライブ装置等記録媒体が挙げられる。撮像データ受信部１４４は、被写体撮像データを第１情報処理装置１２０から受信する。印刷データ生成部１４６は、印刷テンプレート１５０と被写体撮像データとから印刷データを生成する。印刷データ送信部１４８は、印刷データ生成部１４６で生成した印刷データを送信する。
【００１９】
図４は、印刷テンプレート１５０の画像を示す。印刷テンプレート１５０は、背景画像１５２と、画像フィールド１５４とを含む。背景画像１５２は、任意の画像である。背景画像１５２として、たとえば公園のイラストマップや旅行行程を記載したパンフレットが例示できる。画像フィールド１５４は、背景画像１５２に重ねて表示することができる画像の表示領域を特定する。画像フィールド１５４の位置に図柄１５６が印刷されている。
【００２０】
図柄１５６は情報が符号化されたものであり、たとえば二次元コードが挙げられる。情報には画像フィールド１５４を識別する識別情報を含む。よって第１情報処理装置１２０の撮像部１２２により図柄１５６を撮像すると、図柄復号部１２６で撮像した図柄１５６が復号され、図柄１５６に符号化した情報が取得できる。この情報には画像フィールド１５４を識別する識別情報が含まれるので、第１情報処理装置１２０の撮像データ送信部１２８は、画像フィールド１５４を識別する識別情報に関連付けて被写体撮像データを送信することができる。
【００２１】
識別情報に関連付けられた被写体撮像データを受信した第２情報処理装置１４０は、印刷データ生成部１４６において、識別情報で識別される画像フィールド１５４に当該識別情報に関連付けられている被写体撮像データを埋め込むんで印刷データを生成できる。画像フィールド１５４に被写体撮像データを埋め込むことで、背景画像１５２に被写体画像３０２が重ねて表示される。
【００２２】
識別情報として、メールアドレスが例示できる。この場合、第２情報処理装置１４０が、メールアドレスに対応する受信ボックスを有し、撮像データ送信部１２８が、メールアドレスを宛先にして被写体撮像データを送信する。印刷データ生成部１４６は、受信ボックスに受信した被写体撮像データを、識別情報で識別される画像フィールド１５４に埋め込んで印刷データを生成する。
【００２３】
図４に示すように印刷テンプレート１５０に複数の画像フィールド１５４を有する場合、画像フィールド１５４のそれぞれに対応して識別情報が設定されることは言うまでもない。この場合、撮像データ送信部１２８は、複数の識別情報のそれぞれに関連付けて複数の被写体撮像データを送信し、印刷データ生成部１４６は、複数の画像フィールド１５４のそれぞれに対応する被写体撮像データのそれぞれを埋め込んで印刷データを生成する。
【００２４】
なお、テンプレート記録部１４２は第２情報処理装置１４０の外部にあってもよく、この場合第２情報処理装置１４０はテンプレート取得部を備え、テンプレート取得部が印刷テンプレート１５０を取得してもよい。また、第２情報処理装置１４０は、印刷データ送信部１４８に代えて、印刷データを印刷画像として出力する印刷部を備えてもよい。
【００２５】
図５は、画像印刷方法の処理フローを示す。処理を開始すると、まず撮像部１２２が、被写体を撮像して被写体撮像データを生成し、これを記録する（ステップ２０２）。撮像したデータを送信するかを判断し（ステップ２０４）、送信しない場合はステップ２０２を繰り返して被写体の撮像および記録を繰り返す。データを送信する場合、撮像部１２２が、図柄１５６を撮像して図柄撮像データを生成する（ステップ２０６）。図柄復号部１２６が、図柄撮像データを復号化して識別情報、たとえばメールアドレスを取得する（ステップ２０８）。撮像データ送信部１２８が、識別情報に関連付けて、たとえば取得したメールアドレス宛てに被写体撮像データを送信する（ステップ２１０）。第２情報処理装置１４０が、被写体撮像データを受信し（ステップ２１２）、第２情報処理装置１４０が、テンプレート記録部１４２から印刷テンプレート１５０を読み出す（ステップ２１４）。印刷テンプレート１５０はテンプレート取得部により取得されてもよい。印刷データ生成部１４６が、識別情報で識別される画像フィールド１５４に当該識別情報に関連付けられている被写体撮像データを埋め込んで印刷データを生成する（ステップ２１６）。これにより背景画像１５２に被写体の画像が重ねて表示されるようになる。最後に印刷データを送信して（ステップ２１８）、処理を終了する。なお、印刷データは印刷画像として出力されてもよい。
【００２６】
図６は印刷画像３００を示す。印刷画像３００は、背景画像１５２に重ねてイメージ１〜４の被写体画像３０２が印刷される。被写体画像３０２は画像フィールド１５４に埋め込まれており、各画像フィールド１５４には各々関連付けられた被写体画像３０２が埋め込まれれる。関連付けは印刷テンプレート１５０の画像フィールド１５４の位置に印刷された図柄により行われ、図柄で指定するメールアドレスに被写体画像データを送信することによって実施できる。
【００２７】
以上説明したネットワークシステムおよび画像印刷方法によれば、思い出として残る印刷物である印刷テンプレート１５０の背景画像１５２に記念写真である被写体画像３０２を埋め込んで印刷できるので、思い出の品と記念写真が散逸することがない。また、埋め込む画像の埋め込み位置（画像フィールド）は、印刷テンプレート１５０の画像フィールド１５４に印刷されている二次元コードを撮像するだけで特定できるので、きわめて簡単な操作で印刷物を完成させることができる。
【００２８】
次に、印刷画像に到達証明を付与することが可能な構成について説明する。図７は、第１情報処理装置４２０の機能ブロックを示す。図８は、第２情報処理装置４４０の機能ブロックを示す。第１情報処理装置４２０は、第１情報処理装置１２０と同様な情報処理装置であり、撮像部１２２、データ記録部１２４、図柄復号部１２６、撮像データ送信部１２８に加えて、位置データ取得部４２２および時間データ生成部４２４をさらに有する。第２情報処理装置４４０は、第２情報処理装置１４０と同様な情報処理装置であり、テンプレート記録部１４２、撮像データ受信部１４４、印刷データ生成部１４６、印刷データ送信部１４８に加えて、証明発行判定部４４４をさらに有する。
【００２９】
位置データ取得部４２２は、被写体の撮像に応じて現在の位置データを取得する。時間データ生成部４２４は、被写体の撮像に応じて現在の時間データを生成する。すなわち、位置データおよび時間データは、被写体撮像データが生成された時点の位置および日時を示し、被写体撮像データと位置データおよび時間データとは互いに対応付けられる。なお、撮像データ送信部１２８は、被写体撮像データに対応する位置データおよび時間データをさらに送信する。
【００３０】
証明発行判定部４４４は、到達証明を発行するか否かを判定する。ここで、撮像データ受信部１４４は、被写体撮像データとともに位置データおよび時間データを第１情報処理装置１２０から受信し、印刷テンプレート１５０には、画像フィールド１５４とともに画像フィールド１５４に対応した標準データ４４２を含む。印刷データ生成部１４６は、証明発行判定部４４４の判定に応じて、到達証明を含む印刷データまたは到達証明を含まない印刷データを生成する。
【００３１】
すなわち、証明発行判定部４４４が、被写体撮像データに対応した位置データと画像フィールド１５４に対応した標準データ４４２とが所定範囲内で一致しているかどうかを判定し、さらに、複数の被写体撮像データのそれぞれについて、当該被写体撮像データに対応する時間データと他の被写体撮像データに対応する時間データとの時間差が、画像フィールド１５４に対応した標準データ４４２から計算される時間差と矛盾しないかどうかを判定する。位置データと標準データとが所定範囲内で一致していると判断し、かつ、時間差に矛盾がないと判断した場合には、到達証明を含む印刷データを生成する。その他の場合には、到達証明を含まない印刷データを生成する。
【００３２】
なお、標準データ４４２は、画像フィールド１５４毎に定めた固有の標準位置を示すデータである。所定範囲とは、位置センサの誤差範囲および合理的に同一位置と判断できる程度の範囲をいう。たとえば所定範囲は半径１００ｍの範囲とすることができる。所定範囲は任意に定めることができる。また、複数の被写体撮像データにおける時間データの差（時間差）が、画像フィールド１５４に対応した標準データ４４２から計算される時間差と矛盾しないかどうかの判断は、当該時間差が、画像フィールド１５４が示す位置間を移動するのに必要な合理的な時間と矛盾しないかで判断できる。たとえば、ある画像フィールドが示す位置から他の画像フィールドが示す位置に移動するには通常１時間程度必要であるのに、当該画像フィールドに埋め込まれた各被写体撮像データに対応する時間データの差（時間差）が１０分である場合、矛盾すると判断できる。当該判断基準として様々な基準を設定することができる。
【００３３】
図９は、第１情報処理装置４２０および第２情報処理装置４４０を含むネットワークシステムを利用した画像印刷方法における被写体撮像データ生成の処理フロー例を示し、図１０は、印刷データ生成の処理フロー例を示す。本画像印刷方法の全体フローは、図５の場合と同様である。図５のステップ２０２を詳細に示したのが図９のフローであり、図５のステップ２１６を詳細に示したのが図１０のフローである。
【００３４】
図９に示すように、被写体を撮像して被写体撮像データを生成し、記録するステップ２０２では、被写体を撮像して被写体撮像データを生成し（ステップ５０２）、撮像した場所の位置データを取得する（ステップ５０４）。さらに、撮像した日時の時間データを生成する（ステップ５０６）。さらに、被写体撮像データに位置データおよび時間データを付加し、被写体撮像データとして記録する（ステップ５０８）。当該被写体撮像データは、ステップ２１０で、位置データおよび時間データとともに送信される。
【００３５】
図１０に示すように、識別情報で識別される画像フィールドに被写体撮像データを埋め込んで印刷データを生成するステップ２１６では、識別情報で識別される画像フィールドに被写体撮像データを埋め込み（ステップ５１０）、被写体撮像データに付加された位置データが、当該被写体撮像データを埋め込んだ画像フィールドに対応する標準データと所定範囲内で一致しているかを判断する（ステップ５１２）。一致していると判断した場合ステップ５１４に進み、複数の被写体撮像データのそれぞれについて、当該被写体撮像データに付加された時間データと他の被写体撮像データに付加された時間データとの時間差が、画像フィールド毎の標準データから計算される時間差と矛盾しないかをさらに判断する（ステップ５１４）。矛盾しないと判断した場合、到達証明を含む印刷データを生成する（ステップ５１６）。ステップ５１２で一致していないと判断した場合、またはステップ５１４で矛盾すると判断した場合、到達証明を含まない印刷データを生成する（ステップ５１８）。生成した印刷データは、ステップ２１８で送信される。
【００３６】
以上説明したネットワークシステムおよび画像印刷方法によれば、真に旅先を旅行した場合に到達証明を含めて印刷画像３００を印刷できる。このより旅の思い出を記念することができ、話題提供等楽しみを大きくすることができる。
【００３７】
なお、第１情報処理装置４２０に時間データ生成部４２４を含まない構成であってもよい。この場合、時間データが生成されず、証明発行判定部４４４におけるステップ５１４の判断は省略される。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３９】
特許請求の範囲、明細書、および図面中において示した装置、システム、プログラムおよび方法における動作、手順、ステップおよび段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書および図面中の動作フローに関して便宜上「まず」、「次に」等を用いて説明したとしても、この順で実施することが必須であることを意味するものではない。
【符号の説明】
【００４０】
１００  ネットワークシステム
１１０  ネットワーク
１２０  第１情報処理装置
１２２  撮像部
１２４  データ記録部
１２６  図柄復号部
１２８  撮像データ送信部
１４０  第２情報処理装置
１４２  テンプレート記録部
１４４  撮像データ受信部
１４６  印刷データ生成部
１４８  印刷データ送信部
１５０  印刷テンプレート
１５２  背景画像
１５４  画像フィールド
１５６  図柄
１６０  無線中継器
１８０  印刷装置
３００  印刷画像
３０２  被写体画像
４２０  第１情報処理装置
４２２  位置データ取得部
４２４  時間データ生成部
４４０  第２情報処理装置
４４２  標準データ
４４４  証明発行判定部
【図２】
2012003746.tif 000003
【図３】
2012003746.tif 000004
【図５】
2012003746.tif 000005
【図７】
2012003746.tif 000006
【図８】
2012003746.tif 000007
【図９】
2012003746.tif 000008
【図１０】
2012003746.tif 000009
【図１】
2012003746.tif 000010
【図４】
2012003746.tif 000011
【図６】
2012003746.tif 000012